(57)【要約】【課題】極めて簡単な構造として、製作コストを低減する。ダウエルピンを繰り返し抜き差しして、ダウエルピンの引抜力を理想的な状態に制御する。【解決手段】間接法作業模型は、歯形模型２と、この歯形模型２に一端を固定されて、先端に向かって細くなるテーパー状のダウエルピン３と、このダウエルピン３を抜き差しできる連結穴４を設けており、この連結穴４に挿入されるダウエルピン３を介して歯形模型２を脱着できるように連結している石膏土台１とを備える。間接法作業模型は、石膏土台１に、ダウエルピン３を挿入して伸縮する弾性のある弾性リング５を埋設して固定している。この弾性リング５は、連結穴４に挿入されるテーパー状のダウエルピン３の途中に挿入される位置に固定されて、連結穴４に挿入されるダウエルピン３の表面に内面を弾性的に押圧している。【選択図】図３
2007215708.tif 000002
【特許請求の範囲】
【請求項１】
歯形模型(2)と、この歯形模型(2)に一端を固定されて、先端に向かって細くなるテーパー状のダウエルピン(3)と、このダウエルピン(3)を抜き差しできる連結穴(4)を設けており、この連結穴(4)に挿入されるダウエルピン(3)を介して歯形模型(2)を脱着できるように連結している石膏土台(1)とを備える間接法作業模型であって、
石膏土台(1)に、ダウエルピン(3)を挿入して伸縮する弾性のある弾性リング(5)を埋設して固定しており、この弾性リング(5)は、連結穴(4)に挿入されるテーパー状のダウエルピン(3)の途中に挿入される位置に固定されて、連結穴(4)に挿入されるダウエルピン(3)の表面に内面を弾性的に押圧してなる間接法作業模型。
【請求項２】
弾性リング(5)が、石膏土台(1)の底面から２ｍｍ以上離れて石膏土台(1)の内部に埋設されてなる請求項１に記載される間接法作業模型。
【請求項３】
弾性リング(5)が、石膏土台(1)の上面から２ｍｍ以上離れて石膏土台(1)の内部に埋設されてなる請求項１に記載される間接法作業模型。
【請求項４】
弾性リング(5)の材質が、軟質のプラスチック、天然又は合成ゴムのいずれかである請求項１に記載される間接法作業模型。
【請求項５】
弾性リング(5)の長さが１ｍｍ以上であって、５ｍｍ以下である請求項１に記載される間接法作業模型。
【発明の詳細な説明】
【技術分野】
【０００１】
本発明は、歯科補綴物等を製作する場合に用いる間接法作業模型に関する。
【背景技術】
【０００２】
間接法作業模型は、以下のようにして種々の歯冠補綴物の製作に使用される。
(1)  歯科医は、患者から印象を取る前に、歯冠補綴物を設ける部分の歯を、予め削って支台歯としている。したがって、間接法作業模型の歯形模型は、歯冠補綴物を製作する部分に、支台歯模型が形成されている。
(2)  この歯形模型の下面を平坦に削って孔をあけ、孔に空気を噴射し、さらに加圧された水を噴射して清掃する。
(3)  瞬間接着剤、即重レジンを使用して、ダウエルピンを歯形模型の孔に固着する。
(4)  歯形模型の下面とダウエルピンの表面に離型剤を塗布し、予め石膏泥を充填した石膏土台用シリコーンゴム型に押し込み、石膏ペーストを硬化させて石膏土台とする。
(5)  石膏土台をシリコーンゴム型から脱型して、歯科技工用間接法作業模型とする。
(6)  以上の間接法作業模型を使用して、支台歯模型に装着される歯冠補綴物をレジンや金属で作成する。このとき、支台歯模型の両側にある歯牙模型が邪魔になるので、両側の歯牙模型が邪魔にならないようにするために分割模型を作る。分割模型は、歯冠補綴物を製作する部分を隣接部分から分離できるようにしたものである。
(7)  分割模型は、間接法作業模型の歯形模型を所定の位置で切断して製作される。歯形模型は、歯冠補綴物を製作する部分の両側で切断される。この分割模型は、ダウエルピンを介して、石膏土台に脱着自在に装着される。
(8)  この状態で製作された分割模型を使用して、支台歯模型に装着される歯冠補綴物をレジンや金属で作成する。支台歯模型を石膏土台から分割できる分割模型は、隣接する歯牙模型との境界であっても能率よく正確に加工できるので、能率よく歯冠補綴物が製作できる。このとき、ダウエルピンを抜き差しして、分割模型を石膏土台から脱着する。
【０００３】
以上の間接法作業模型は、歯冠補綴物を製作するときに、分割模型を石膏土台から脱着するときに、ダウエルピンが石膏土台の連結穴から繰り返し抜き差しされる。ダウエルピンの抜き差しを繰り返すと、連結穴の内面から石膏が剥がれ、連結穴が大きくなる。このため、ダウエルピンが抜けやすくなると共に、ダウエルピンを介して切断された歯形模型を石膏土台の正確な位置に連結できなくなる。分割模型が位置ずれを起こすと、隣接する歯牙模型との相対位置がずれる。このため、製作する歯冠補綴物の精度が低下する。また、上顎の間接法作業模型においては、歯冠補綴物を製作する分割模型が石膏土台から自重で落下する弊害も発生する。
【０００４】
この欠点を解消するために、ダウエルピンを保持筒に挿入し、この保持筒を石膏土台に固定する作業模型が開発されている。（特許文献１参照）
【０００５】
特許文献１の作業模型は、石膏土台に保持筒を埋設して連結穴を設けている。保持筒は、ダウエルピンを抜き差して石膏のように連結穴の内面から剥離されない。このため、ダウエルピンを繰り返し抜き差して、連結穴が大きくなるのを防止できる。
【０００６】
ただ、この構造の作業模型は、保持筒の製作コストが高くなる欠点がある。それは、保持筒の内形の精度が、ダウエルピンの引抜力を特定し、内形がわずかに大きいと、ダウエルピンが抜け落ち、反対に内形がわずかに小さいと、ダウエルピンをスムーズに挿入できなくなるからである。このため、保持筒を極めて高い精度で製作する必要があって、製造コストが高くなる。
【０００７】
また、連結穴を貫通孔として、歯形模型を石膏土台から簡単に分離でき、また連結穴の底に異物が詰まるのを解消して、ダウエルピンを介して歯形模型の脱着を容易にする作業模型も開発されている。（特許文献２参照）
【０００８】
特許文献２は、図１に示すように、ダウエルピン３３の下端にスペーサー３５を連結し、このスペーサー３５が、石膏土台３１の下面に位置するように石膏土台３１を成形する。スペーサー３５は、下面を平坦面として、石膏土台３１の底面と同一面に位置させている。スペーサー３５は、硬化された石膏土台３１から抜き取られる。この場合、スペーサー３５はシリコンゴム等の弾性素材で製作しているので、引張るのみで石膏土台３１から容易に取り外される。スペーサー３５を外して、石膏土台３１の下面には凹部３６ができ、この凹部３６内にダウエルピン３３の下端部を突出させた状態となる。この状態で、ダウエルピン３３の下端を押して、歯形模型３２を石膏土台３１から容易に分離できる。また、凹部３６によって連結穴３４の下端を開口するので、連結穴３４の底に異物が詰まって、ダウエルピン３３を定位置まで挿入できない弊害も防止される。
【特許文献１】実開平６−４６７１０号公報
【特許文献２】実開平６−１５６１２号公報
【発明の開示】
【発明が解決しようとする課題】
【０００９】
しかしながら、特許文献１と２に記載する構造では、簡単な構造としながら、ダウエルピンを理想的な引き抜き力で繰り返し抜き差しできない。特許文献１の作業模型は、石膏土台に埋設する保持筒を極めて高い精度で製作するので製作コストが高くなり、また特許文献２の作業模型では、石膏を硬化させた後、スペーサーを石膏土台から除去するので、ダウエルピンの抜き差しを繰り返すと、連結穴の内形が大きくなってクリアランスが大きくなる欠点がある。
【００１０】
本発明は、従来のこのような欠点を解決することを目的に開発されたものである。本発明の重要な目的は、極めて簡単な構造とすると共に、製作コストを低減し、さらにダウエルピンを繰り返し抜き差しして、ダウエルピンの引抜力を理想的な状態に制御できる間接法作業模型を提供することにある。
【課題を解決するための手段】
【００１１】
本発明の間接法作業模型は、前述の目的を達成するために以下の構成を備える。
間接法作業模型は、歯形模型２と、この歯形模型２に一端を固定されて、先端に向かって細くなるテーパー状のダウエルピン３と、このダウエルピン３を抜き差しできる連結穴４を設けており、この連結穴４に挿入されるダウエルピン３を介して歯形模型２を脱着できるように連結している石膏土台１とを備える。間接法作業模型は、石膏土台１に、ダウエルピン３を挿入して伸縮する弾性のある弾性リング５を埋設して固定している。この弾性リング５は、連結穴４に挿入されるテーパー状のダウエルピン３の途中に挿入される位置に固定されて、連結穴４に挿入されるダウエルピン３の表面に内面を弾性的に押圧している。
【００１２】
本発明の間接法作業模型は、弾性リング５を、石膏土台１の底面から２ｍｍ以上離して石膏土台１の内部に埋設することができる。本発明の間接法作業模型は、弾性リング５を、石膏土台１の上面から２ｍｍ以上離して石膏土台１の内部に埋設することができる。本発明の間接法作業模型は、弾性リング５の材質を、軟質のプラスチック、天然又は合成ゴムのいずれかとすることができる。さらに、本発明の間接法作業模型は、弾性リング５の長さを、１ｍｍ以上であって、５ｍｍ以下とすることができる。
【発明の効果】
【００１３】
本発明の間接法作業模型は、極めて簡単な構造で製作コストを著しく低減しながら、ダウエルピンを繰り返し抜き差しして、ダウエルピンの引抜力をつねに理想的な状態に制御できる。それは、本発明の間接法作業模型が、石膏土台の内部に、ダウエルピンを挿入して伸縮される弾性のある弾性リングを埋設しており、連結穴に挿入されるダウエルピンをこの弾性リングに挿入し、弾性リングの内面をダウエルピンの表面に弾性的に押圧しているからである。この構造は、テーパー状のダウエルピンを弾性リングに挿入する深さで、弾性リングの内面をダウエルピンの表面に押圧する押圧力を制御できる。ダウエルピンを弾性リングに深く挿入して、弾性リングを強くダウエルピンの表面を押圧できる。ダウエルピンの引抜力は、ダウエルピンと弾性リングとの押圧力と摩擦係数の積に比例するので、ダウエルピンを深く弾性リングを挿入して、引抜力を強くできる。反対に、ダウエルピンを弾性リングに浅く挿入して、引抜力を弱くできる。したがって、ダウエルピンを挿入深さで、ダウエルピンの引抜力を最適値に制御できる。ダウエルピンの引抜力が最適値となるように、ダウエルピンを弾性リングに挿入し、この状態のダウエルピンを石膏ペーストに埋設して石膏土台を製作すると、ダウエルピンは石膏土台に埋設される弾性リングで最適な引抜力に保持される。したがって、本発明の間接法作業模型は、弾性リングとダウエルピンに高い精度が要求されず、また弾性リングは柔軟なチューブを所定の長さに切断してもので極めて安価に製作できる。したがって、本発明は、ダウエルピンを挿入する保持筒とは比較にならないほど低コストにできる。弾性リングをダウエルピンに挿入し、ダウエルピンを石膏ペーストに埋設して製作されるので、弾性リングの埋設も簡単にできる。
【００１４】
さらにまた、本発明の間接法作業模型は、ダウエルピンを繰り返し抜き差しを何回も繰り返しても、ダウエルピンの引抜力が変化せず、ダウエルピンを常に理想的な引抜力で石膏土台に連結できる。それは、ダウエルピンが繰り返し引き抜かれても、弾性リングの内面が石膏のように摩耗しないからである。
【発明を実施するための最良の形態】
【００１５】
以下、本発明の実施例を図面に基づいて説明する。ただし、以下に示す実施例は、本発明の技術思想を具体化するための間接法作業模型を例示するものであって、本発明は間接法作業模型を以下のものに特定しない。
【００１６】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図２に示す間接法作業模型は、歯形模型２と、この歯形模型２に一端を固定しているダウエルピン３と、このダウエルピン３を抜き差しできる連結穴４を設けており、この連結穴４に入れるダウエルピン３を介して歯形模型２を脱着できるように連結している石膏土台１と、この石膏土台１に固定している弾性リング５とを備える。
【００１８】
歯形模型２は、患者の歯形から製作されるもので、患者の歯形と同じ形状の石膏模型である。患者の歯形模型２が製作されるに先だって、患者の歯冠補綴物を設ける部分の歯は、予め削られて支台歯となっている。したがって、間接法作業模型の歯形模型２は、歯冠補綴物を製作する部分に、支台歯模型８が形成されている。
【００１９】
ダウエルピン３は、歯形模型２を石膏土台１に連結する。ダウエルピン３は、歯形模型２に設けた固定孔６に挿入され、接着して歯形模型２に固定される。歯形模型２は、複数のダウエルピン３を固定している。複数のダウエルピン３は、分割模型７と、分割模型７の分割された歯形模型２を石膏土台１に連結する。分割模型７は、ダウエルピン３を介して脱着できるように石膏土台１に連結される。複数のダウエルピン３は、歯形模型２に平行に固定される。各々のダウエルピン３は、図において、石膏土台１の上面に直交する姿勢で歯形模型２に固定される。
【００２０】
ダウエルピン３は石膏土台１に設ける連結穴４にスムーズに挿入でき、かつ弾性リング５に所定の引抜力で挿入できるように、先端を細くするテーパー状としている金属ロッドである。また、ダウエルピン３は、石膏土台１の連結穴４に回転しないよう挿入するために、断面図形状を非円形としている。このダウエルピン３は、分割模型７を特定の姿勢で石膏土台１に連結できる。
【００２１】
ダウエルピン３を石膏土台１の連結穴４に入れ、このダウエルピン３を介して歯形模型２が石膏土台１に連結される。とくに、分割模型７は、ダウエルピン３を介して石膏土台１に脱着できるように連結される。分割模型７を石膏土台１から分離するとき、ダウエルピン３は石膏土台１の連結穴４から引き抜かれる。
【００２２】
石膏土台１は、ダウエルピン３を抜き差しできるように挿入する連結穴４を設けている。連結穴４は、ダウエルピン３を挿入して歯形模型２を石膏土台１に連結するものであるから、ダウエルピン３を挿入する位置に設けられる。連結穴４は、歯形模型２にダウエルピン３を固定し、このダウエルピン３を石膏ペーストに埋設して、石膏土台１に設けられる。したがって、連結穴４の内形はテーパー状のダウエルピン３の外形に等しく、開口部に向かって大きくなるテーパー状に成形される。
【００２３】
さらに、石膏土台１は、連結穴４に挿入されるダウエルピン３を挿入する位置に弾性リング５を埋設している。弾性リング５は、挿入されるダウエルピン３の表面に、内面を弾性的に押圧して、ダウエルピン３の引抜力を最適値に制御する。この弾性リング５は、連結穴４に挿入されるテーパー状のダウエルピン３の途中に挿入される位置に埋設される。弾性リング５は、ダウエルピン３を挿入して伸縮される弾性のあるリングである。
【００２４】
弾性リング５は、テーパー状のダウエルピン３を挿入して、ダウエルピン３の表面に弾性的に密着するように、軟質のプラスチック、あるいは天然又は合成ゴムのいずれかで製作される。弾性リング５の材質は、軟質塩化ビニル樹脂である軟質プラスチックが適している。ただし、弾性リング５は、軟質ウレタン樹脂やシリコンゴム等、ダウエルピンを挿入して弾性変形できる全ての軟質のプラスチックも使用できる。
【００２５】
弾性リング５の肉厚は、たとえば０．３ｍｍよりも厚く、好ましくは０．５ｍｍよりも厚くする。また、弾性リング５の肉厚は、たとえば２ｍｍよりも薄く、好ましくは１ｍｍよりも薄くする。弾性リング５は、薄すぎると、ダウエルピン３の引抜力が弱すぎ、反対に厚すぎるとダウエルピン３の引抜力の制御が難しくなるので、前述の範囲で最適な肉厚とする。
【００２６】
弾性リング５は、好ましくは、石膏土台１の内部にあって、その表面には表出しないように埋設して固定される。この弾性リング５は、石膏土台１の底面から内側に２ｍｍ以上離れ、また、石膏土台１の上面から内側に２ｍｍ以上離れる位置に埋設して固定される。弾性リング５を埋設して固定する最適位置は、石膏土台１の上面から５〜１０ｍｍ内側に離れた位置である。上下の表面から離れて石膏土台１の内部に固定される弾性リング５は、石膏土台１からの脱落を確実に防止できる。ただ、ダウエルピン３に弾性リング５を挿入する状態で、ダウエルピン３の引抜力が最適値となるようにして、弾性リング５を石膏土台１に埋設して、石膏土台１の表面に表出することもある。この場合、弾性リング５の全長を、たとえば２ｍｍ以上、好ましくは３ｍｍ以上として、石膏土台１に脱落しないように固定できる。石膏土台１の表面に表出しないように埋設される弾性リング５は、軸方向の長さを１ｍｍ以上とする。弾性リング５が長すぎると、ダウエルピン３の引抜力が強すぎるので、弾性リング５の長さは、好ましくは５ｍｍよりも短くする。ただし、弾性リング５に柔軟で摩擦抵抗の小さい素材を使用する場合、長さを５ｍｍよりも長くすることもできる。
【００２７】
弾性リング５を軟質の塩化ビニルチューブとする場合、最適な肉厚は０．６ｍｍ、長さは１．５ｍｍである。
【００２８】
以上の間接法作業模型は、以下の方法で製作され、また製作された間接法作業模型を使用して、以下の方法で歯冠補綴物が製作される。
(1)  歯冠補綴物を製作する部分に支台歯模型８の形成された歯形模型２を製作する。
(2)  この歯形模型２の下面を平坦に加工し、下面から垂直に固定孔６を穿孔する。この固定孔６にダウエルピン３を挿入して、接着、固定する。ダウエルピン３は、分割模型７を石膏土台１に脱着できるきるように、いいかえると分割模型７がダウエルピン３を介して石膏土台１に連結される位置に固定される。
(3)  ダウエルピン３に弾性リング５を挿入する。このとき、ダウエルピン３を弾性リング５から引き抜く引抜力が最適値となる位置まで、ダウエルピン３を弾性リング５に挿入する。ダウエルピン３を弾性リング５に深く挿入すると、弾性リング５が弾性的に大きく拡開されて、ダウエルピン３の表面を強く押圧する。したがって、ダウエルピン３の引抜力が強くなる。反対にダウエルピン３を弾性リング５に浅く挿入すると、弾性リング５が少なく拡開されて、ダウエルピン３の表面を弱く押圧する。このため、ダウエルピン３の引抜力は弱くなる。したがって、ダウエルピン３を弾性リング５に挿入する深さで、ダウエルピン３の引抜力を最適値に制御できる。ダウエルピン３の太さや弾性リング５の内形の精度に関係なく、ダウエルピン３の挿入深さで引抜力を最適値に調整できる。
(4)  歯形模型２の下面とダウエルピン３の表面に離型剤を塗布し、石膏土台１用シリコーンゴム型に充填された石膏ペーストにダウエルピン３を押し込み、石膏ペーストを硬化させて石膏土台１とする。このとき、ダウエルピン３には所定の位置に弾性リング５を挿入しているので、石膏ペーストが硬化されて、弾性リング５は石膏土台１に所定の位置に埋設して固定される。弾性リング５は、ダウエルピン３に挿入して石膏土台１に埋設して固定されるので、ダウエルピン３が連結穴４に挿入されると、その途中に弾性リング５が挿入される。
(5)  石膏土台１をシリコーンゴム型から脱型して、歯形模型２をダウエルピン３を介して石膏土台１に連結する歯科技工用の間接法作業模型が製作される。
【００２９】
(6)  以上の間接法作業模型を使用して、支台歯模型８に装着される歯冠補綴物がレジンや金属で作成される。
このとき、支台歯模型８の両側にある歯牙模型９が邪魔になるので、両側の歯牙模型９が邪魔にならないようにするために、図３に示すように、歯冠補綴物１０を製作する部分を隣接部分から分離できるように、支台歯模型８の両側で歯形模型２を切断して分割模型７とする。分割模型７は、ダウエルピン３を介して石膏土台１に脱着できるように連結される。
(7)  分割模型７を石膏土台１から脱着して、支台歯模型８に装着される歯冠補綴物１０がレジンや金属で作成される。
【００３０】
分割模型７に固定しているダウエルピン３は、連結穴４に挿入される状態で、弾性リング５にも挿入されるので、弾性リング５で引抜力が最適値に制御される。石膏土台１に固定している弾性リング５は、ダウエルピン３を抜き差ししても石膏のようには摩耗しない。このため、分割模型７を繰り返し石膏土台１に脱着して、ダウエルピン３を連結穴４に抜き差ししても、ダウエルピン３は、常に理想的な引抜力で石膏土台１に連結される。このため、分割模型７は、常に理想的な引抜力で石膏土台１に連結される。
また、分割模型７を石膏土台１から分離できるので、支台歯模型８に隣接して歯牙模型９があっても、歯冠補綴物１０を能率よく正確に加工できる。このため、正確な歯冠補綴物１０を効率よく製作できる。
【図面の簡単な説明】
【００３１】
【図１】従来の間接法作業模型を示す一部断面正面図である。
【図２】本発明の一実施例にかかる間接法作業模型を示す断面正面図である。
【図３】図２に示す間接法作業模型の分割模型を取り出した状態を示す断面正面図である。
【符号の説明】
【００３２】
１…石膏土台
２…歯形模型
３…ダウエルピン
４…連結穴
５…弾性リング
６…固定孔
７…分割模型
８…支台歯模型
９…歯牙模型
１０…歯冠補綴物
３１…石膏土台
３２…歯形模型
３３…ダウエルピン
３４…連結穴
３５…スペーサー
３６…凹部
【図１】
2007215708.tif 000003
【図２】
2007215708.tif 000004
【図３】
2007215708.tif 000005